(57)【要約】【課題】通常の消火作業のための機能を維持しつつ、威嚇や排除に使用する際において、これらの威嚇効果や排除効果を放水後においても極力維持することの可能な放水銃を提供することを解決課題とする。【解決手段】加圧水をノズルを介して射出するようにした放水銃２であって、前記加圧水の供給経路に、その内部を流れる前記加圧水に、この加圧水の特性を変化させる特性調整剤を供給する調整剤供給手段３を設けてなることを特徴とする特徴とする。【選択図】図２
2014095522.tif 000002
【特許請求の範囲】
【請求項１】
加圧水をノズルを介して射出するようにした放水銃であって、前記加圧水の供給経路に、その内部を流れる前記加圧水に、この加圧水の特性を変化させる特性調整剤を供給する調整剤供給手段を設けてなることを特徴とする放水銃。
【請求項２】
前記調整剤供給手段が前記ノズルの先端に着脱可能に設けられていることを特徴とする請求項１に記載の放水銃。
【請求項３】
前記調整剤供給手段が、ベンチュリー効果を利用して前記特性調整剤を前記加圧水中に供給するようになされていることを特徴とする請求項１または請求項２に記載の放水銃。
【請求項４】
前記特性調整剤が、前記加圧水を吸収して含水体を形成する高吸水性ポリマーであることを特徴とする請求項１ないし請求項３の何れかに記載の放水銃。
【請求項５】
前記特性調整剤が、粘着性を有する糊料であることを特徴とする請求項１ないし請求項３の何れかに記載の放水銃。
【請求項６】
前記特性調整剤が、前記加圧水を着色する着色料であることを特徴とする請求項１ないし請求項３の何れかに記載の放水銃。
【請求項７】
前記特性調整剤が、前記加圧水に臭いを付与する香料であることを特徴とする請求項１ないし請求項３の何れかに記載の放水銃。
【発明の詳細な説明】
【技術分野】
【０００１】
本発明は、消火活動時の放水や、暴徒あるいは侵犯船等に対する威嚇若しくは排除のための放水に用いられる放水銃に関するものである。
【背景技術】
【０００２】
一般に、火災時の消火や、暴徒あるいは侵犯船等に対する威嚇若しくは排除を行なうための一手段として、火元や暴徒あるいは侵犯船に対して、放水銃によって放水することが行なわれており、たとえば、船舶火災の消火に対応するための技術が、特許文献１において提案されている。
【先行技術文献】
【特許文献】
【０００３】
【特許文献１】特開２００６−１０２３０７号公報
【発明の概要】
【発明が解決しようとする課題】
【０００４】
前述した技術にあっては、船舶火災が鎮火するまで放水を継続し、鎮火後にその放水を中止する。
【０００５】
しかしながら、放水の対象が暴徒であったり不審船であった場合、非殺傷を目的とした威嚇若しくは排除行為として有効であるが、放水中における威嚇若しくは排除効果は期待できるものの、放水を停止した時点でその効果は消滅する。
【０００６】
また、前述した威嚇効果若しくは排除効果が、放水される水によって視界不良とするか、あるいは、濡れることによる不快感を与える程度で、放水後の効果の持続性は期待できない。
【０００７】
本発明は、前述した従来の技術に鑑みなされたもので、通常の消火作業のための機能を維持しつつ、威嚇や排除に使用する際において、これらの威嚇効果や排除効果を放水後においても極力維持することの可能な放水銃を提供することを解決課題とする。
【課題を解決するための手段】
【０００８】
本発明の請求項１に記載の放水銃は、前述した課題を解決するために、加圧水をノズルを介して射出するようにした放水銃であって、前記加圧水の供給経路に、その内部を流れる前記加圧水に、この加圧水の特性を変化させる特性調整剤を供給する調整剤供給手段を設けてなることを特徴としている。
【０００９】
このような構成とすることにより、通常の消火時等や、穏便な威嚇や排除を行なう場合にあっては、前記放水銃から加圧水のみの射出を行ない、より効果的な威嚇や排除を行なう必要がある場合には、前記特性調整剤供給手段を介して前記加圧水に前記特性調整剤を供給して前記加圧水の特性を変化させて対象物に放水する。
【００１０】
そして、特性が変化した加圧水を放水することにより、放水される側に、単なる水でないことの違和感や不安感を与えることができ、放水による威嚇や排除効果を放水中止後においても継続することができる。
【００１１】
そして、請求項４に記載のように、前記特性調整剤を、前記加圧水を吸収して含水体を形成する高吸水性ポリマーとすることにより、前記加圧水が対象物へ到達する間に、この加圧水が高吸水性ポリマーに吸収されて、粒状の含水体が生成されるので、この生成された含水体を対象物若しくはその近傍に落下させることができる。
【００１２】
したがって、放水された側では、水とともに固形状の異物が混入していることによる視覚的な変化、あるいは、固形物としての含水体との接触圧や接触音の発生による触覚的あるいは聴覚的な変化を感じ、前述した違和感や不安感が増す。
そして、この違和感や不安感は、その原因が理解できるまで継続する。
【００１３】
ここで、前記高吸水性ポリマーの吸水時の物性を、前記放水時の圧力や射出速度等を考慮して適宜設定することにより、前述した接触圧や接触音の調整を行なうことができ、非殺傷性を確保することができる。
【００１４】
また、請求項５に記載のように、前記特性調整剤を、粘着性を有する糊料とすることにより、放水された側に触感的な不快感を与え、かつ、付着による効果の持続性が確保される。
【００１５】
ここで、前述した糊料と前記高吸水性ポリマーとを同時に混入することにより、生成される含水体に粘着性を与えることができるので、両者の特性をあわせた効果が期待できる。
【００１６】
そして、たとえば不審船等への放水時にあっては、前記含水体を前記不審船のブリッジのガラス面に付着させることにより、その視界を奪うことができる等の効果も期待できる。
【００１７】
さらに、請求項６に記載のように、前記特性調整剤を、前記加圧水を着色する着色料とすることにより、水を浴びた時点で衣服等が着色し、視覚的かつ感覚的な不快感を与えることができるとともに、着色によりその不快感を継続させることができる。
【００１８】
また、不審船等への威嚇行為や排除行為に際しては、前述したようなブリッジガラス面を着色して不透明にし、視覚を奪う効果を得ることができる。
【００１９】
さらに、本発明の請求項７に記載のように、前記特性調整剤を、前記加圧水に臭いを付与する香料とすることにより、臭覚的な不快感を与えることができるとともに、その臭いを水とともに付着させてその効果を継続させることができる。
【００２０】
一方、請求項２に記載の放水銃は、請求項１に記載の前記調整剤供給手段が前記ノズルの先端に着脱可能に設けられていることを特徴としている。
【００２１】
このような構成とすることにより、既存の放水銃への適用を容易なものとすることができる。
【００２２】
また、請求項３に記載の放水銃は、請求項１または請求項２に記載の前記調整剤供給手段が、ベンチュリー効果を利用して前記特性調整剤を前記加圧水中に供給するようになされていることを特徴としている。
【００２３】
このような構成とすることにより、前記特性調整剤の供給を放水する加圧水によって発生させられる負圧を利用して行なうことができ、調整剤供給手段の構成を簡素化することができる。
【発明の効果】
【００２４】
本発明によれば、通常の消火作業のための機能を維持しつつ、威嚇や排除に使用する際において、これらの威嚇効果や排除効果を放水後においても極力維持することの可能な放水銃を提供することができる。
【図面の簡単な説明】
【００２５】
【図１】放水銃が設けられた船舶の一例を示す外観図である。
【図２】本発明の一実施形態の側面図である。
【図３】本発明の一実施形態の要部の縦断面図である。
【図４】本発明の一実施形態の要部の縦断面図である。
【図５】本発明の一実施形態の要部の縦断面図である。
【発明を実施するための形態】
【００２６】
以下、本発明の一実施形態について図面を参照して説明する。
図１は、放水銃を備えた船舶を示すもので、符号１で示す船舶の舳先部分に放水銃２が設置され、この放水銃２の先端に、後述する本実施形態に係わる調整剤供給手段３が装着される。
【００２７】
この調整剤供給手段３は、図２に示すように、前記放水銃２の銃身２ａの先端部に装着されるもので、前記銃身２ａの先端外周に設けられている環状突起２ｂを利用して装着される。
【００２８】
すなわち、前記調整剤供給手段３は、前記銃身２ａの先端部に被嵌される筒状の基部３ａと、この基部３ａが内装されかつ螺着された筒状のクランプ部３ｂと、このクランプ部３ｂに嵌着された筒状の混合部３ｃと、この混合部３ｃに供給する特性調整剤が貯留されたタンク４と、このタンク４と前記混合部３ｃとを連通する供給管５と、前記タンク４に圧縮空気を供給してこのタンク４内の特性調整剤を前記供給管５へ送り込む加圧ポンプ６とによって基本的に構成されている。
【００２９】
これらの詳細について説明すれば、前記基部３ａは、前記銃身２ａに被嵌され、かつ、この銃身２ａに形成されている前記環状突起２ｂに係脱させられる係合部材７と、この係合部材７を前記クランプ部３ｂの一端部内に螺着されて、このクランプ部３ｂとの間で前記係合部材７を挟持固定する固定ネジ８によって構成されている。
【００３０】
前記係合部材７は、前記クランプ部３ｂと前記固定ネジ８とによって挟持される固定リング７ａと、この固定リング７ａから軸線方向に向かって突設された係合片７ｂとを備えている。
【００３１】
前記係合片７ｂは、本実施形態においては、前記固定リング７ａの軸線回りに９０度の間隔をおいて４箇所に設けられており（図では２箇所示してある）、それぞれの先端部が、その弾性により、前記固定リング７ａとの接続部を中心として、先端部が外方へ向かうようになされている。
【００３２】
そして、前記各係合片７ｂは、外方へ位置させられた状態において、これらの係合片７ｂの内面を結んで形成される内接円が、前記銃身２ａの環状突起２ｂの外径よりも大きくなるように設定されている。
【００３３】
また、前記固定リング７ａの外周部には、前記各係合片７ｂに対応して、前記固定ネジ８が当接させられる側と反対側に向けて開口する位置決め溝７ｃが形成されている。
【００３４】
前記クランプ部３ｂは、その内面に、その内部に嵌合させられる前記係合部材７の前記位置決め溝７ｃに係合させられる位置決め突起９が突設させられ、これらの係合によって、前記クランプ部３ｂと、前記係合部材７との軸線方向および軸線回りの位置決めがなされている。
【００３５】
そして、このクランプ部３ｂの軸線方向略中間部には、軸線回りに９０度の間隔をおいた４箇所に、貫通孔１０が形成されている。
【００３６】
これらの貫通孔１０に対応した前記クランプ部３ｂの外面には、軸受け１１が一体に設けられており、それぞれの軸受け１１に、前記クランプ部３ｂの軸線と直交する方向に沿って支持軸１２が取り付けられている。
【００３７】
前記支持軸１２には、それぞれ、前記係合部材７の各係止片７ｂの先端部を内側へ向けて押圧するクランプレバー１３が回動可能に取り付けられている。
【００３８】
前記クランプレバー１３は、前記貫通孔１０内に位置させられて、前記係合片７ｂに外方から当接させられる押圧部１３ａと、この押圧部１３ａに対して、前記支持軸１２を中心とした反対側に位置させられて、前記クランプ部３ｂの外方へ突出させられた操作部１３ｂとによって構成されている。
【００３９】
また、前記クランプレバー１３は、その押圧部１３ａと操作部１３ｂとが所定角度となるように折曲形成されており、前記押圧部１３ａに対して前記操作部１３ｂが長く形成されている。
【００４０】
そして、前記クランプレバー１３は、前記係合部材７の位置決め溝７ｃと前記クランプ部３ｂの位置決め突起９との係合によって、前記係合部材７の係合片７ｂに対向位置させられるようになっている。
【００４１】
さらに、前記クランプレバー１３は、その操作部１３ｂを前記クランプ部３ｂの軸線と略平行となる位置に位置させた状態において、その押圧部１３ａが前記係合部材７の係合片７ｂを外方から押圧して、この係合片７ｂの先端部を内方へ押し下げるようになっている。
【００４２】
このように、前記係合片７ｂの先端部が内方へ押し下げられた状態において、この係合片７ｂの先端部が、前記銃身２ａの環状突起２ｂに銃身２ａ側から係合させられるようになっており、これによって、前記基部３ａ、クランプ部３ｂ、および、このクランプ部３ｂに取り付けられた混合部３ｃが、前記銃身２ａの先端部に固定されるようになっている。
【００４３】
また、前記押圧部１３ａの先端部と前記係合片７ｂとの接触位置が、前記クランプレバー１３が装着された支持軸１２を超えた位置に位置させられると、前記押圧部１３ａが、前記係合片７ｂの弾性力によってクランプ位置に保持されるように付勢され、これによって前記クランプレバー１３が固定位置に保持される。
【００４４】
前記混合部３ｃは、前記クランプ部３ｂに圧入等の手段によって一体化されており、前記クランプ部３ｂ内に挿入された端部には、前記銃身２ａに装着された状態において、この銃身２ａの先端部に当接してその当接部を液密に封止するパッキン１４が装着されている。
【００４５】
また、前記混合部３ｃの内面は、その軸線方向の略中間部が両他端部より滑らかに小径となるように形成されていることにより絞りＡが形成されている。
【００４６】
そして、その最小径部には、内外部を連通させる貫通孔１５が形成され、この貫通孔１５の外端部に前記供給管５が接続されている。
したがって、前記混合部３ｃ内に前記放水銃２から加圧水が流されると、ベンチュリー作用により、前記絞りＡの部分および前記貫通孔１５内に圧力効果が生じ、その際の負圧によって、前記供給管５を介して前記タンク４内の特性調整剤が前記混合部３ｃ内へ引き込まれ、この特性調整剤が、前記混合部３ｃ内を流れる水へ混合させられる。
【００４７】
このような特性調整剤の、前記混合部３ｃ内を流れる水への混合は、前記タンク４に接続されている加圧ポンプ６によって前記タンク４の内圧が高められていることにより促進される。
ただし、この加圧ポンプ６による補助は任意であり、混合する特性調整剤の種類等により適宜選択することが可能である。
【００４８】
このように構成された本実施形態においては、選択された特性調整剤を前記タンクに貯留しておくとともに、必要に応じて、前記調整剤供給装置３を放水銃２の先端に装着して放水を開始することにより、前記タンク４内の特性調整剤を混合部３ｃ内において水に混合しつつ放水することができる。
【００４９】
そして、前記特性調整剤を、前記加圧水を吸収して含水体を形成する高吸水性ポリマーとすることにより、粒状の含水体を生成し対象物若しくはその近傍に落下させることができる。
【００５０】
これによって、放水された側に、水とともに固形状の異物が混入していることによる視覚的な変化、あるいは、固形物としての含水体との接触圧や接触音の発生による触覚的あるいは聴覚的な変化を生じさせ、違和感や不安感を増大させることができる。
【００５１】
また、前記特性調整剤を、粘着性を有する糊料とすることにより、放水された側に触感的な不快感を与え、かつ、その不快感を付着により持続させることができる。
【００５２】
たとえば不審船等への放水時にあっては、前記含水体を前記不審船のブリッジのガラス面に付着させることにより、その視界を奪うことができる等の効果が期待できる。
【００５３】
さらに、前記特性調整剤を、前記加圧水を着色する着色料とすることにより、水を浴びた時点で衣服等が着色し、視覚的かつ感覚的な不快感を与えることができるとともに、着色によりその不快感を継続させることができる。
【００５４】
また、不審船等への威嚇行為や排除行為に際しては、前述したようなブリッジガラス面を着色して不透明にし、視覚を奪う効果を得ることができる。
【００５５】
さらに、前記特性調整剤を、前記加圧水に臭いを付与する香料とすることにより、臭覚的な不快感を与えることができるとともに、その臭いを水とともに付着させてその効果を継続させることができる。
【００５６】
一方、前述した特性調整剤の使用を必要としない場合や、特性調整剤供給手段３の保守点検等が必要な場合にあっては、図４に示すように、前記各クランプレバー１３の操作部１３ｂをクランプ部３ｂから離すように回動させた後、これらを放水銃２から取り外すことができる。
【００５７】
すなわち、前述したクランプレバー１３の回動により、その押圧部１３ａによる前記係合片７ｂへの押圧力が解除され、これに伴い、前記各係合片７ｂが、前記銃身２ａの先端部から離間するように弾性変形し、各係合片７ｂと銃身２ａの先端部の環状突起２ｂとの係合が解除される。
この状態で、前記調整剤供給手段３を引き抜くことによって、この調整剤供給手段３を放水銃２から取り外すことができる。
【００５８】
一方、前記特性調整剤は適宜選択して種々変更することができるが、これらを複数同時に使用することも可能である。
たとえば、前述した糊料と前記高吸水性ポリマーとを同時に混入することにより、生成される含水体に粘着性を与えて、両者の特性をあわせた効果を生じさせることができる。
【００５９】
このように、複数の特性調整剤を同時に使用する場合には、図５に示すように、前記混合部３ｃに、複数の貫通孔１５を形成して、それぞれの貫通孔１５に供給管５およびタンク４を接続し、これらのタンク４に異なる特性調整剤を貯留する。
【符号の説明】
【００６０】
１  船舶
２  放水銃
２ａ  銃身
２ｂ  環状突起
３  調整剤供給手段
３ａ  基部
３ｂ  クランプ部
３ｃ  混合部
４  タンク
５  供給管
６  加圧ポンプ
７  係合部材
７ａ  固定リング
７ｂ  係合片
７ｃ  位置決め溝
８  固定ネジ
９  位置決め突起
１０  貫通孔
１１  軸受け
１２  支持軸
１３  クランプレバー
１３ａ  押圧部
１３ｂ  操作部
１４  パッキン
１５  貫通孔
Ａ  絞り
【図１】
2014095522.tif 000003
【図２】
2014095522.tif 000004
【図３】
2014095522.tif 000005
【図４】
2014095522.tif 000006
【図５】
2014095522.tif 000007
【手続補正書】
【提出日】平成25年3月5日(2013.3.5)
【手続補正１】
【補正対象書類名】特許請求の範囲
【補正対象項目名】全文
【補正方法】変更
【補正の内容】
【特許請求の範囲】
【請求項１】
加圧水をノズルを介して射出するようにした放水銃であって、前記加圧水の供給経路に、その内部を流れる前記加圧水に、この加圧水の特性を変化させる特性調整剤を供給する調整剤供給手段が設けられ、
前記調整剤供給手段は、前記ノズルの先端に着脱可能に設けられ、かつ、ベンチュリー効果を利用して前記特性調整剤を前記加圧水中に供給するようになされ、
前記特性調整剤が、前記加圧水を吸収して含水体を形成する高吸水性ポリマーであることを特徴とする放水銃。
【請求項２】
前記特性調整剤が、粘着性を有する糊料であることを特徴とする請求項１に記載の放水銃。
【請求項３】
前記特性調整剤が、前記加圧水を着色する着色料であることを特徴とする請求項１に記載の放水銃。
【請求項４】
前記特性調整剤が、前記加圧水に臭いを付与する香料であることを特徴とする請求項１に記載の放水銃。
【手続補正２】
【補正対象書類名】明細書
【補正対象項目名】０００８
【補正方法】変更
【補正の内容】
【０００８】
本発明の放水銃は、前述した課題を解決するために、加圧水をノズルを介して射出するようにした放水銃であって、前記加圧水の供給経路に、その内部を流れる前記加圧水に、この加圧水の特性を変化させる特性調整剤を供給する調整剤供給手段を設けてなることを特徴としている。
【手続補正３】
【補正対象書類名】明細書
【補正対象項目名】００１１
【補正方法】変更
【補正の内容】
【００１１】
そして、本発明では、前記特性調整剤を、前記加圧水を吸収して含水体を形成する高吸水性ポリマーとすることにより、前記加圧水が対象物へ到達する間に、この加圧水が高吸水性ポリマーに吸収されて、粒状の含水体が生成されるので、この生成された含水体を対象物若しくはその近傍に落下させることができる。
【手続補正４】
【補正対象書類名】明細書
【補正対象項目名】００１４
【補正方法】変更
【補正の内容】
【００１４】
また、前記特性調整剤を、粘着性を有する糊料とすることにより、放水された側に触感的な不快感を与え、かつ、付着による効果の持続性が確保される。
【手続補正５】
【補正対象書類名】明細書
【補正対象項目名】００１７
【補正方法】変更
【補正の内容】
【００１７】
さらに、前記特性調整剤を、前記加圧水を着色する着色料とすることにより、水を浴びた時点で衣服等が着色し、視覚的かつ感覚的な不快感を与えることができるとともに、着色によりその不快感を継続させることができる。
【手続補正６】
【補正対象書類名】明細書
【補正対象項目名】００１９
【補正方法】変更
【補正の内容】
【００１９】
さらに、前記特性調整剤を、前記加圧水に臭いを付与する香料とすることにより、臭覚的な不快感を与えることができるとともに、その臭いを水とともに付着させてその効果を継続させることができる。
【手続補正７】
【補正対象書類名】明細書
【補正対象項目名】００２０
【補正方法】変更
【補正の内容】
【００２０】
一方、本発明の放水銃は、前記調整剤供給手段が前記ノズルの先端に着脱可能に設けられていることを特徴としている。
【手続補正８】
【補正対象書類名】明細書
【補正対象項目名】００２２
【補正方法】変更
【補正の内容】
【００２２】
また、本発明の放水銃は、前記調整剤供給手段が、ベンチュリー効果を利用して前記特性調整剤を前記加圧水中に供給するようになされていることを特徴としている。
【手続補正書】
【提出日】平成25年6月10日(2013.6.10)
【手続補正１】
【補正対象書類名】特許請求の範囲
【補正対象項目名】請求項１
【補正方法】変更
【補正の内容】
【請求項１】
加圧水をノズルを介して射出するようにした放水銃であって、前記加圧水の供給経路に、その内部を流れる前記加圧水に、この加圧水の特性を変化させる特性調整剤を供給する調整剤供給手段が設けられ、前記調整剤供給手段は、ベンチュリー効果を利用して前記特性調整剤を前記加圧水中に供給するようになされ、前記特性調整剤が、前記加圧水を吸収して含水体を形成する高吸水性ポリマーであり、前記調整剤供給手段が、前記ノズルの先端に形成されている環状突起に係脱させられる係合部材と、この係合部材を内側へ向けて押圧して前記環状突起に係合させ、かつ、この押圧を解除することにより前記係合部材と前記環状突起との係合を解除するクランプレバーとによって、前記ノズルの先端に着脱可能に設けられていることを特徴とする放水銃。